(57)【要約】【課題】キースキャン検出回路の作動によるノイズの影響を受けることなく標準電波を受信することができる電気機器を提供する。【解決手段】装置本体の時刻を設定する計時回路９と、計時回路９の計時結果に基づき受信時刻が到来したときに時刻情報を保有する標準電波を受信する標準電波受信回路１０と、前記受信時刻の到来と同時に、スイッチの操作有無を検出するキースキャン回路１４を少なくとも含む前記装置内部の作動回路の作動を停止させるとともに、前記標準電波の受信後に前記作動回路の作動開始させる制御回路７とを備え、前記標準電波に基づいて前記装置本体の時刻を計時回路９が修正する。【選択図】図２
2007071880.tif 000002
【特許請求の範囲】
【請求項１】
装置本体の時刻を設定する計時手段と、前記計時手段の計時結果に基づき受信時刻が到来したときに時刻情報を保有する標準電波を受信する標準電波受信手段と、前記受信時刻の到来と同時に、スイッチの操作有無を検出するキースキャン検出回路を少なくとも含む前記装置内部の作動回路の作動を停止させるとともに、前記標準電波の受信後に前記作動回路の作動開始させる制御手段と、前記標準電波に基づいて前記装置本体の時刻を修正する修正手段と、を備えたことを特徴とする電気機器。
【請求項２】
前記装置本体は、タイムレコーダであることを特徴とする請求項１に記載の電気機器。
【発明の詳細な説明】
【技術分野】
【０００１】
この発明は、時刻情報としてのタイムコード信号を有する標準電波を受信して自動的に時刻を修正する電波時計を内蔵する電気機器に関する。
【背景技術】
【０００２】
従来より、時刻情報としてのタイムコード信号を有する標準電波を受信して自動的に時刻を修正する電波時計を内蔵する電気機器がある。このような電気機器として、例えば、装置本体の時刻を表示部に表示するとともに、タイムカードが挿入されるとこのタイムカードにその時刻を記録するタイムレコーダにおいて、タイムカードに正確な時刻を表示させるために電波時計を内蔵したものが考えられている。この電波時計を内蔵したタイムレコーダは、一日のうち決められた受信時刻に標準電波を受信して、この標準電波から得た時刻等のデータに基づいて装置本体の時刻を正確な時刻に修正し、この時刻を表示部に表示するとともにタイムカードが挿入されたときはその時刻をタイムカードに記録するようになっている。
【特許文献１】特開２００１−６１８６０号公報
【発明の開示】
【発明が解決しようとする課題】
【０００３】
ところで、タイムレコーダは表示部への表示やタイムカードへの印字に大きな電力を必要とするため、例えばＡＣ１００Ｖ電源が用いられる。しかしながら、標準電波は微弱であるため、この電源に起因するノイズによって標準電波の受信に支障をきたす場合がある。また、キースキャンや表示制御等のタイムレコーダ内部における様々な作動回路の作動によってノイズが発生し、このノイズが標準電波の受信に影響を及ぼす場合もある。
【０００４】
このように、電波時計を内蔵したタイムレコーダは標準電波の受信の際にノイズの影響を受けると正確な時刻等のデータを得ることができず、装置本体の時刻を正しく修正することができないという問題がある。
【０００５】
この発明の目的は、キースキャン検出回路の作動によるノイズの影響を受けることなく標準電波を受信することができる電気機器を提供する。
【課題を解決するための手段】
【０００６】
請求項１の発明は、装置本体の時刻を設定する計時手段と、前記計時手段の計時結果に基づき受信時刻が到来したときに時刻情報を保有する標準電波を受信する標準電波受信手段と、前記受信時刻の到来と同時に、スイッチの操作有無を検出するキースキャン検出回路を少なくとも含む前記装置内部の作動回路の作動を停止させるとともに、前記標準電波の受信後に前記作動回路の作動開始させる制御手段と、前記標準電波に基づいて前記装置本体の時刻を修正する修正手段と、を備えたことを特徴とする。
【発明の効果】
【０００７】
この発明によれば、キースキャン検出回路の作動によるノイズの影響を受けることなく標準電波を受信することができる。
【発明を実施するための最良の形態】
【０００８】
以下、この発明に係わる電気機器であるタイムレコーダの実施の形態である実施例を図面に基づいて説明する。
【実施例】
【０００９】
［実施例１］
図１は本実施例に係るタイムレコーダの外観図を示している。符号１はタイムレコーダのレコーダ本体、２はレコーダ本体１の上部に形成されたカード挿入口、３はレコーダ本体１の上部に設けられた蛍光表示管やＬＣＤ等の表示部、５は標準電波を受けるアンテナ、６はタイムカードである。
【００１０】
レコーダ本体１の内部には、図２に示すように、制御回路７が設けられ、この制御回路７は中央演算処理装置８と、以下この中央演算処理装置８にそれぞれ接続された計時回路９と、標準電波受信回路１０と、表示回路１２と、印字回路１３と、キースキャン回路１４と、記憶装置１５とを備えている。
【００１１】
計時回路９はタイムレコーダの時刻として現在時刻を設定し、標準電波受信回路１０はアンテナ５に接続され標準電波を受信する。また、表示回路１２は表示部３に接続されパルス信号である表示制御信号を出力して表示制御を行い、印字回路１３は印字ヘッド２１に接続され印字制御を行う。キースキャン回路１４はタイムカード６の挿入に連動する「出勤」「退勤」等の複数のスイッチ２２に接続されいずれのスイッチがオンされたかの検出を行う。すなわち、図３に示すように、キースキャン回路１４からパルス信号（波形Ａ）であるキースキャン信号が一定の周期で出力され、このキースキャン信号がスイッチ２２を経由してキースキャン回路１４に戻るようになっているが、このとき入力されたキースキャン信号に同期したパルスが現れるか（波形Ｂ）現れないか（波形Ｃ）によっていずれのスイッチがオンされたかを検出することができる。
【００１２】
記憶装置１５はＲＯＭやＲＡＭ等より構成され、ＲＯＭは中央演算処理装置８の制御プログラム等を格納し、また、ＲＡＭはプログラムの実行に必要な一時データ格納領域を提供する。
【００１３】
制御回路７は電源回路１８を介して交流電源としてのＡＣ１００Ｖ電源１７と接続され、電源回路１８とＡＣ１００Ｖ電源１７との間には電源スイッチ１６が設けられている。この電源スイッチ１６にはリレーが用いられ、中央演算処理装置８によって制御されるようになっている。
【００１４】
さらに、中央演算処理装置８及び標準電波受信回路１０は１次電池又は２次電池の内部電源としてのバッテリー２０と接続され、電源供給が行われるようになっている。
【００１５】
つぎに、このように構成された本実施例に係るタイムレコーダの動作について説明する。
【００１６】
まず、図４に示すように、中央演算処理装置８はタイムレコーダ内の現在時刻のデータを取得し（Ｓ０）、この現在時刻と標準電波の受信時刻として予めインプットされた任意の設定時刻とを対比させて、現在時刻が受信時刻であるか否かを判断し（Ｓ１）、受信時刻でないと判断した場合はループしてステップＳ１を繰り返す。一方、受信時刻であると判断した場合は電源スイッチ１６をオフにする（Ｓ２）。すなわち、電源スイッチ１６であるリレーのコイルに通電し常閉接点を開かせることによって、電源回路１８とＡＣ１００Ｖ電源１７との間を遮断する。また、電源スイッチ１６がオフ状態である間の中央演算処理装置８及び標準電波受信回路１０の駆動についてはバッテリー２０からの電源供給によって行われる。
【００１７】
ステップＳ２で電源スイッチ１６をオフにした中央演算処理装置８はステップＳ３に移行し、標準電波受信回路１０に標準電波の受信命令を行う（Ｓ３）。この命令を受けて標準電波受信回路１０は標準電波の受信を行う。すなわち、標準電波受信回路１０はアンテナ５から標準電波を受け、この信号を増幅した後、４０ｋＨｚ近辺の周波数を抽出する。次いで、抽出された信号を検波し、波形整形してタイムコード信号を得る。このようにして得られたタイムコード信号は中央演算処理装置８に送られ（Ｓ４）、タイムコード信号を受信した中央演算処理装置８は電源スイッチ１６をオンにして電源を供給するとともに（Ｓ５）、タイムコード信号を時刻等のデータに変換する（Ｓ６）。
【００１８】
中央演算処理装置８はステップＳ６において変換した時刻等のデータを計時回路９に送信し（Ｓ７）、計時回路９は受信した時刻等のデータに基づいてタイムレコーダ内の現在時刻を修正する。この現在時刻が表示部３に表示されるとともに、タイムカード６が挿入された場合はその時刻がタイムカード６に記録される。
【００１９】
本実施の形態１に係るタイムレコーダでは、標準電波を受信する前に電源スイッチ１６をオフにして電源回路１８とＡＣ１００Ｖ電源１７との間を遮断するので、標準電波の受信の際にＡＣ１００Ｖ電源１７から発生するノイズの影響を受けることがない。また、キースキャン回路１４や表示回路１２等のタイムレコーダ内部の回路に電源供給が行われず作動が停止するので、これらの回路の作動によるノイズの発生も防止することができる。このように、タイムレコーダはＡＣ１００Ｖ電源１７やレコーダ本体１の内部の回路によるノイズの影響を受けずに標準電波を受信することができるので、正確な時刻等のデータを得ることができ、タイムレコーダ内の現在時刻を正しく修正することができる。これによって、正確な時刻を表示部３に表示するとともにタイムカード６が挿入されたときはその時刻をタイムカード６に記録するようになっている。
［実施例２］
本実施の形態に係るタイムレコーダは、図５に示すように、前記実施例１におけるキースキャン回路１４、表示回路１２等を不要とし、中央演算処理装置８が直接タイムカード６の挿入に連動するスイッチ２２、表示部３等に接続してキースキャン、表示制御等を行う。このような構成において、中央演算処理装置８がキースキャン信号及び表示制御信号の出力を停止することによってノイズの発生を防止するものである。
【００２０】
つぎに、このように構成された本実施例に係るタイムレコーダの動作について説明する。
【００２１】
まず、図６に示すように、中央演算処理装置８はタイムレコーダ内の現在時刻のデータを取得し（Ｓ１０）、この現在時刻と標準電波の受信時刻として予めインプットされた任意の設定時刻とを対比させて、現在時刻が受信時刻であるか否かを判断し（Ｓ１１）、受信時刻でないと判断した場合はループしてステップＳ１１を繰り返す。一方、受信時刻であると判断した場合はキースキャン及び表示制御を停止する（Ｓ１２）。すなわち、中央演算処理装置８からのキースキャン信号の出力の停止によりタイムカード６の挿入に連動する複数のスイッチ２２のいずれがオンされたかの検出が停止され、したがってタイムカード６の挿入に関係する信号が検出されなくなり、キースキャンが停止されることとなる。また、表示制御信号の出力の停止により時刻等が表示部３に表示されなくなる。
【００２２】
ステップＳ１２でキースキャン及び表示制御を停止した中央演算処理装置８はステップＳ１３に移行し、標準電波受信回路１０に標準電波の受信命令を行う（Ｓ１３）。この命令を受けて標準電波受信回路１０は標準電波の受信を行ってタイムコード信号を得る。このタイムコード信号は中央演算処理装置８に送られ（Ｓ１４）、タイムコード信号を受信した中央演算処理装置８はキースキャン及び表示制御を開始するとともに（Ｓ１５）、タイムコード信号を時刻等のデータに変換する（Ｓ１６）。
【００２３】
中央演算処理装置８はステップＳ１６において変換した時刻等のデータを計時回路９に送信し（Ｓ１７）、計時回路９は受信した時刻等のデータに基づいてタイムレコーダ内の現在時刻を修正する。この現在時刻が表示部３に表示されるとともに、タイムカード６が挿入された場合はその時刻がタイムカード６に記録される。
【００２４】
本実施例２に係るタイムレコーダでは、標準電波を受信する前にキースキャン及び表示制御を停止するので、標準電波の受信の際にキースキャンや表示制御のタイムレコーダ内部の作動によるノイズの発生を防止することができる。したがって、タイムレコーダはタイムレコーダ内部の作動によるノイズの影響を受けずに標準電波を受信することができるので、正確な時刻等のデータを得ることができ、タイムレコーダ内の現在時刻を正しく修正することができる。
【００２５】
なお、本発明は上述した実施例に限られるものではなく、例えば実施例２では中央演算処理装置８が信号の出力を停止することによってタイムレコーダ内部の作動を停止することとしたが、作動ごとに回路を設けて中央演算処理装置がこれらの各回路を制御することによって作動を停止することとしてもよい。
【図面の簡単な説明】
【００２６】
【図１】実施の形態１のタイムレコーダを示す外観図である。
【図２】実施の形態１のタイムレコーダ本体の内部構造を示すブロック図である。
【図３】タイムレコーダ内部のキースキャン信号波形を示す図である。
【図４】実施の形態１のタイムレコーダ内部の中央演算処理装置の制御動作を示すフローチャートである。
【図５】実施の形態２のタイムレコーダ本体の内部構造を示すブロック図である。
【図６】実施の形態２のタイムレコーダ内部の中央演算処理装置の制御動作を示すフローチャートである。
【符号の説明】
【００２７】
８      中央演算処理装置（制御手段）
９      計時回路（計時手段、修正手段）
１０    標準電波受信回路（標準電波受信手段）
１４    キースキャン回路
１７    ＡＣ１００Ｖ電源（交流電源）
２０    バッテリー（内部電源）
【図１】
2007071880.tif 000003
【図２】
2007071880.tif 000004
【図３】
2007071880.tif 000005
【図４】
2007071880.tif 000006
【図５】
2007071880.tif 000007
【図６】
2007071880.tif 000008